(57)【要約】      （修正有）【課題】セル間干渉の除去を実現できる、セル間干渉を除去するための方法及び装置を提供する。【解決手段】方法は、第１の送受信ノードが潜在的干渉セルの干渉情報を取得することと、第１の送受信ノードが潜在的干渉セルの干渉情報を第１の端末設備へ送信することとを含む。潜在的干渉セルは、第２の送受信ノードに属する。潜在的干渉セルの干渉情報は、潜在的干渉セルの複信モード情報、潜在的干渉セルの多重アクセス技術情報、少なくとも一つの第１の伝送リソースプールの中の各第１の伝送リソースプールにおける当該潜在的干渉セルの物理層パラメータ及び少なくとも一つの第２の伝送リソースプールの中の各第２の伝送リソースプールにおける当該潜在的干渉セルのリソース割り当て情報の中の、少なくとも一つを含む。【選択図】図２
2020115693.tif 000002
【特許請求の範囲】
【請求項１】
セル間干渉を除去するための方法であって、
第１の送受信ノードが潜在的干渉セルの干渉情報を取得することと、
前記第１の送受信ノードが前記潜在的干渉セルの干渉情報を第１の端末設備へ送信することとを含み、
ここで、前記潜在的干渉セルは、第２の送受信ノードに属し、前記潜在的干渉セルの干渉情報は前記潜在的干渉セルの多重アクセス技術情報を含み、前記潜在的干渉セルの多重アクセス技術情報は、少なくとも一つの第４の伝送リソースプールの中の各第４の伝送リソースプールにおいて前記潜在的干渉セルが採用する多重アクセス技術の情報を含み、前記多重アクセス技術は、直交周波数分割多重アクセスＯＦＤＭＡ、フィルタリングされたＯＦＤＭＡ、ＣＤＭＡ、および、非直交多重アクセス技術の中の、１つである、方法。
【請求項２】
前記潜在的干渉セルの干渉情報はさらに、前記潜在的干渉セルの複信モード情報、少なくとも一つの第１の伝送リソースプールの中の各第１の伝送リソースプールにおける前記潜在的干渉セルの物理層パラメータ、及び、少なくとも一つの第２の伝送リソースプールの中の各第２の伝送リソースプールにおける前記潜在的干渉セルのリソース割り当て情報の中の、少なくとも一つを含むことを特徴とする
請求項１に記載の方法。
【請求項３】
前記潜在的干渉セルの複信モード情報は、少なくとも一つの第３の伝送リソースプールの中の各第３の伝送リソースプールにおいて前記潜在的干渉セルが採用する複信モードの情報を含むことを特徴とする
請求項２に記載の方法。
【請求項４】
前記物理層パラメータは、多重アクセス技術基本伝送パラメータ、フレーム構造パラメータ、及び、サブフレーム構造パラメータの中の、少なくとも一つを含み、
前記フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含み、
前記サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含むことを特徴とする
請求項２又は３に記載の方法。
【請求項５】
各第２の伝送リソースプールにおける前記潜在的干渉セルのリソース割り当て情報は、前記各第２の伝送リソースプール内における、前記潜在的干渉セルのサービスを受ける少なくとも一つの第２の端末設備の中の各第２の端末設備の端末特定基準信号の構成情報、前記各第２の伝送リソースプール内における各第２の端末設備の端末特定制御チャネルの構成情報、及び、前記各第２の伝送リソースプール中における前記潜在的干渉セルが各第２の端末設備に対して割り当てた伝送リソースの情報の中の、少なくとも一つを含むことを特徴とする
請求項２〜４のいずれか１項に記載の方法。
【請求項６】
前記第１の送受信ノードが潜在的干渉セルの干渉情報を取得することは、
前記第１の送受信ノードが前記潜在的干渉セルが属される第２の送受信ノードが送信した前記潜在的干渉セルの干渉情報を受信することを含むことを特徴とする
請求項１〜５のいずれか１項に記載の方法。
【請求項７】
前記第１の送受信ノードが前記潜在的干渉セルが属される第２の送受信ノードが送信した前記潜在的干渉セルの干渉情報を受信する前に、
前記第１の送受信ノードが、前記第２の送受信ノードが前記少なくとも一つの目標伝送リソースプールにおける前記潜在的干渉セルの干渉情報を送信するように要求するための要求指示を、前記第２の送受信ノードに送信することをさらに含み、
前記第１の送受信ノードが前記潜在的干渉セルが属される第２の送受信ノードが送信した前記潜在的干渉セルの干渉情報を受信することは、
前記第１の送受信ノードが、前記第２の送受信ノードにより前記要求指示に従って送信された前記少なくとも一つの目標伝送リソースプールの中の各目標伝送リソースプールにおける前記潜在的干渉セルの干渉情報を受信することを含み、
ここで、前記目標伝送リソースプールにおける前記潜在的干渉セルの干渉情報は、前記目標伝送リソースプールにおける前記潜在的干渉セルの複信モード情報、前記目標伝送リソースプールにおける前記潜在的干渉セルの多重アクセス技術情報、前記目標伝送リソースプールにおける前記潜在的干渉セルの物理層パラメータ、及び、前記目標伝送リソースプールにおける前記潜在的干渉セルのリソース割り当て情報の中の、少なくとも一つを含むことを特徴とする
請求項６に記載の方法。
【請求項８】
セル間干渉を除去するための方法であって、
第１の端末設備が第１の送受信ノードにより送信された潜在的干渉セルの干渉情報を受信することと、
前記第１の端末設備が、前記潜在的干渉セルの干渉情報に基づいて、前記第１の送受信ノードから受信した信号に対して、干渉除去を行うこととを含み、
ここで、前記潜在的干渉セルの干渉情報は前記潜在的干渉セルの多重アクセス技術情報を含み、前記潜在的干渉セルの多重アクセス技術情報は、少なくとも一つの第４の伝送リソースプールの中の各第４の伝送リソースプールにおいて前記潜在的干渉セルが採用する多重アクセス技術の情報を含み、前記多重アクセス技術は、直交周波数分割多重アクセスＯＦＤＭＡ、フィルタリングされたＯＦＤＭＡ、ＣＤＭＡ、および、非直交多重アクセス技術の中の、１つである、方法。
【請求項９】
前記潜在的干渉セルの干渉情報は、前記潜在的干渉セルの複信モード情報、少なくとも一つの第１の伝送リソースプールの中の各第１の伝送リソースプールにおける前記潜在的干渉セルの物理層パラメータ、及び、少なくとも一つの第２の伝送リソースプールの中の各第２の伝送リソースプールにおける前記潜在的干渉セルのリソース割り当て情報の中の、少なくとも一つを含むことを特徴とする
請求項８に記載の方法。
【請求項１０】
前記潜在的干渉セルの複信モード情報は、少なくとも一つの第３の伝送リソースプールの中の各第３の伝送リソースプールにおいて前記潜在的干渉セルが採用する複信モードの情報を含むことを特徴とする
請求項９に記載の方法。
【請求項１１】
前記物理層パラメータは、多重アクセス技術基本伝送パラメータ、フレーム構造パラメータ、及び、サブフレーム構造パラメータの中の、少なくとも一つを含み、
前記フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含み、
前記サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含むことを特徴とする
請求項９又は１０に記載の方法。
【請求項１２】
各第２の伝送リソースプールにおける前記潜在的干渉セルのリソース割り当て情報は、前記各第２の伝送リソースプール内における、前記潜在的干渉セルのサービスを受ける少なくとも一つの第２の端末設備の中の各第２の端末設備の端末特定基準信号の構成情報、前記各第２の伝送リソースプール内における各第２の端末設備の端末特定制御チャネルの構成情報、及び、前記各第２の伝送リソースプール中における前記潜在的干渉セルが各第２の端末設備に対して割り当てた伝送リソースの情報の中の、少なくとも一つを含むことを特徴とする
請求項９〜１１のいずれか１項に記載の方法。
【請求項１３】
セル間干渉を除去するための方法であって、
第２の送受信ノードが第１のセルの干渉情報を確定することと、
第２の送受信ノードが前記第１のセルの干渉情報を第１の送受信ノードへ送信することとを含み、
ここで、前記第１のセルは、前記第２の送受信ノードに属し、前記第１のセルの干渉情報は前記第１のセルの多重アクセス技術情報を含み、前記第１のセルの多重アクセス技術情報は、少なくとも一つの第４の伝送リソースプールの中の各第４の伝送リソースプールにおいて前記第１のセルが採用する多重アクセス技術の情報を含み、前記多重アクセス技術は、直交周波数分割多重アクセスＯＦＤＭＡ、フィルタリングされたＯＦＤＭＡ、ＣＤＭＡ、および、非直交多重アクセス技術の中の、１つである、方法。
【請求項１４】
前記第１のセルの干渉情報は、前記第１のセルの複信モード情報、少なくとも一つの第１の伝送リソースプールの中の各第１の伝送リソースプールにおける前記第１のセルの物理層パラメータ、及び、少なくとも一つの第２の伝送リソースプールの中の各第２の伝送リソースプールにおける前記第１のセルのリソース割り当て情報の中の、少なくとも一つを含むことを特徴とする
請求項１３に記載の方法。
【請求項１５】
前記第１のセルの複信モード情報は、少なくとも一つの第３の伝送リソースプールの中の各第３の伝送リソースプールにおいて前記第１のセルが採用する複信モードの情報を含むことを特徴とする
請求項1４に記載の方法。
【請求項１６】
前記物理層パラメータは、多重アクセス技術基本伝送パラメータ、フレーム構造パラメータ、及び、サブフレーム構造パラメータの中の、少なくとも一つを含み、
前記フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含み、
前記サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含むことを特徴とする
請求項14又は１５に記載の方法。
【請求項１７】
各第２の伝送リソースプールにおける前記第１のセルのリソース割り当て情報は、前記
各第２の伝送リソースプール内における前記第１のセルのサービスを受ける少なくとも一つの第２の端末設備の中の各第２の端末設備の端末特定基準信号の構成情報、前記各第２の伝送リソースプール内における各第２の端末設備の端末特定制御チャネルの構成情報、及び、前記各第２の伝送リソースプール中における前記第１のセルが各第２の端末設備に対して割り当てた伝送リソースの情報の中の、少なくとも一つを含むことを特徴とする
請求項１４〜１６のいずれか１項に記載の方法。
【請求項１８】
前記第２の送受信ノードが前記第１のセルの干渉情報を第１の送受信ノードに送信する前に、
前記第２の送受信ノードが、前記第１の送受信ノードが送信した、前記第２の送受信ノードが前記少なくとも一つの目標伝送リソースプールにおける前記第１のセルの干渉情報を送信するように要求するための要求指示を、受信することをさらに含み、
前記第２の送受信ノードが前記第１のセルの干渉情報を第１の送受信ノードに送信することは、
前記第２の送受信ノードが、前記要求指示に従って、前記少なくとも一つの目標伝送リソースプールの中の各目標伝送リソースプールにおける前記第１のセルの干渉情報を、前記第１の送受信ノードへ送信することを含み、
ここで、前記目標伝送リソースプールにおける前記潜在的干渉セルの干渉情報は、前記目標伝送リソースプールにおける前記潜在的干渉セルの複信モード情報、前記目標伝送リソースプールにおける前記潜在的干渉セルの多重アクセス技術情報、前記目標伝送リソースプールにおける前記潜在的干渉セルの物理層パラメータ、及び、前記目標伝送リソースプールにおける前記潜在的干渉セルのリソース割り当て情報の中の、少なくとも一つを含むことを特徴とする
請求項１３〜１７のいずれか１項に記載の方法。
【発明の詳細な説明】
【技術分野】
【０００１】
本発明の実施例は、通信分野に関し、さらに具体的には、セル間干渉を除去するための方法及び装置に関する。
【背景技術】
【０００２】
第４世代（４Ｇ）通信システムは、直交周波数分割多重アクセス(ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)技術を採用し、その技術自身がセル間の干渉抑制をサポートしないため、セル間干渉調整技術（ＩＣＩＣ：Ｉｎｔｅｒ−Ｃｅｌｌ  Ｉｎｔｅｒｆｅｒｅｎｃｅ  Ｃｏｏｒｄｉｎａｔｉｏｎ）を導入している。しかし、ＩＣＩＣは、相対的に軽負荷のシステムでしか良好な干渉調整効果を得ることができず、ユーザ数がより多い場合、及び、システム容量が飽和した場合には、利得を得ることは困難である。第５世代（５Ｇ）通信システムは、超高密度ネットワーキングおよびネットワークスライシング（ｎｅｔｗｏｒｋ  ｓｌｉｃｉｎｇ）技術を採用することになる。異なるネットワークスライシングは、異なる時間−周波数リソースを使用することができ、異なる伝送技術（例えば、複信モード、多重アクセス技術など）および異なる物理層パラメータ（例えば、サブ搬送波間隔、フレーム構造、共通チャネルスイッチなど）を有し、また、異なるタイプのネットワークノード（例えば、４Ｇ基地局、５Ｇ基地局、中継局、設備間通信ノードなど）によって搬送されることができる。したがって、超高密度ネットワーキングの場面では、異なるネットワークスライシングに対応する複数のセルが、１つの地理的位置で重なり合ってセル間干渉を引き起こす可能性があり、当該場面でセル間の干渉をどのように除去するのかが、早急に解決しなければならない技術課題である。
【発明の概要】
【０００３】
本発明の実施例は、セル間干渉の除去を実現できる、セル間干渉を除去するための方法及び装置を提供する。
【０００４】
第１の態様によると、セル間干渉を除去するための方法を提供する。前記方法は、第１の送受信ノードが潜在的干渉セルの干渉情報を取得することと、当該第１の送受信ノードが当該潜在的干渉セルの干渉情報を第１の端末設備へ送信することとを含み、ここで、当該潜在的干渉セルは、第２の送受信ノードに属し、当該潜在的干渉セルの干渉情報は、当該潜在的干渉セルの複信モード情報、当該潜在的干渉セルの多重アクセス技術情報、少なくとも一つの第１の伝送リソースプールの中の各第１の伝送リソースプールにおける当該潜在的干渉セルの物理層パラメータ、及び、少なくとも一つの第２の伝送リソースプールの中の各第２の伝送リソースプールにおける当該潜在的干渉セルのリソース割り当て情報の中の、少なくとも一つを含む。
【０００５】
オプションとして、当該潜在的干渉セルは、当該第１の送受信ノードのサービスを受ける第１の端末設備の潜在的干渉セルであってもよい。
【０００６】
オプションとして、当該潜在的干渉セルと当該潜在的干渉セルのサービスを受ける第２の端末設備との間のデータ伝送は、当該第１の送受信ノードと当該第１の端末設備との間のデータ伝送に対して、現在干渉を引き起こしているか、あるいは、干渉を引き起こす可能性がある。
【０００７】
したがって、本発明の実施例に係るセル間干渉を除去するための方法によると、第２の送受信ノードが潜在的干渉セルの干渉情報を第１の送受信ノードへ送信し、当該第１の送受信ノードが受信した少なくとも一つの潜在的干渉セルの中の各潜在的干渉セルの干渉情報を第１の端末設備へ送信し、第１の端末設備が受信した少なくとも一つの潜在的干渉セルの干渉情報に基づいて干渉除去を行うことによって、セル間干渉除去に有益であり、システム性能を改善できる。
【０００８】
第１の態様の第１の実現可能な方法において、当該第１の送受信ノードが潜在的干渉セルの干渉情報を取得することは、当該第１の送受信ノードが当該潜在的干渉セルが属される第２の送受信ノードが送信した当該潜在的干渉セルの干渉情報を受信することを含む。
【０００９】
上記の実現可能な方法に結合して、第１の態様の第２の実現可能な方法において、当該第１の送受信ノードが当該潜在的干渉セルが属される第２の送受信ノードが送信した当該潜在的干渉セルの干渉情報を受信する前に、当該方法は、当該第１の送受信ノードが、当該第２の送受信ノードが当該少なくとも一つの目標伝送リソースプールにおける当該潜在的干渉セルの干渉情報を送信するように要求するための要求指示を、当該第２の送受信ノードへ送信することをさらに含み、当該第１の送受信ノードが当該潜在的干渉セルが属される第２の送受信ノードが送信した当該潜在的干渉セルの干渉情報を受信することは、当該第１の送受信ノードが、当該第２の送受信ノードが当該要求指示に従って送信された当該少なくとも一つの目標伝送リソースプールの中の各目標伝送リソースプールにおける当該潜在的干渉セルの干渉情報を、受信することを含む。
【００１０】
このようにして、第１の送受信ノードが、第２の送受信ノードへ送信する要求指示を利用して、目標伝送リソース範囲における第２の送受信ノード（或いは、第２の送受信ノードの目標セル）の干渉情報（例えば、伝送技術、及び／或いは、物理層パラメータ）を要求することによって、第２の送受信ノードが目標伝送リソース範囲内における当該第２の送受信ノード（或いは、第２の送受信ノードの目標セル）の干渉情報のみを第１の送受信ノードへ送信するようにすることができて、すべての伝送リソース範囲における当該第２の送受信ノード（或いは、第２の送受信ノードの目標セル）の干渉情報をフィードバックする必要がなくなるため、シグナリングオーバーヘッドを削減することができる。
【００１１】
なお、第１の送受信ノードが、当該要求指示中で指示した目標伝送リソース範囲に基づいて、リソーススケジューリングを実行して、第１の送受信ノードのリソース割り当てを可能な限り第２の送受信ノードのリソース割り当てにあわせることによって、セル間干渉除去アルゴリズムの複雑さを低減することができる。
【００１２】
第２の態様によると、もう１種のセル間干渉を除去するための方法を提供し、当該方法は、第１の端末設備が第１の送受信ノードにより送信された潜在的干渉セルの干渉情報を受信することと、当該第１の端末設備が当該潜在的干渉セルの干渉情報に基づいて、当該第１の送受信ノードから受信した信号に対して、干渉除去を行うこととを含み、当該潜在的干渉セルの干渉情報は、当該潜在的干渉セルの複信モード情報、当該潜在的干渉セルの多重アクセス技術情報、少なくとも一つの第１の伝送リソースプールの中の各第１の伝送リソースプールにおける当該潜在的干渉セルの物理層パラメータ、及び、少なくとも一つの第２の伝送リソースプールの中の各第２の伝送リソースプールにおける当該潜在的干渉セルのリソース割り当て情報の中の、少なくとも一つを含む。
【００１３】
第３の態様によると、もう１種のセル間干渉を除去するための方法を提供し、当該方法は、第２の送受信ノードが第１のセルの干渉情報を確定することと、第２の送受信ノードが当該第１のセルの干渉情報を当該第１の送受信ノードへ送信することとを含む、ここで、当該第１のセルは、当該第２の送受信ノードに属し、当該第１のセルの干渉情報は、当該第１のセルの複信モード情報、当該第１のセルの多重アクセス技術情報、少なくとも一つの第１の伝送リソースプールの中の各第１の伝送リソースプールにおける当該第１のセルの物理層パラメータ、及び、少なくとも一つの第２の伝送リソースプールの中の各第２の伝送リソースプールにおける当該第１のセルのリソース割り当て情報の中の、少なくとも一つを含む。
【００１４】
オプションとして、当該第１のセルは、当該第２の送受信ノードに属し、また、当該第１のセルは、当該第１の送受信ノードのサービスを受ける第１の端末設備の潜在的干渉セルであってもよい。
【００１５】
オプションとして、当該第１のセルの複信モード情報は、少なくとも一つの第３の伝送リソースプールの中の各第３の伝送リソースプールにおいて当該第１のセルが採用する複信モードの情報を含む。
【００１６】
オプションとして、当該第１のセルの多重アクセス技術情報は、当該少なくとも一つの第４の伝送リソースプールの中の各第４の伝送リソースプールにおいて第１のセルが採用する多重アクセス技術の情報を含む。
【００１７】
オプションとして、第２の伝送リソースプールにおける当該第１のセルのリソース割り当て情報は、当該第２の伝送リソースプール内における当該第１のセルのサービスを受ける少なくとも一つの第２の端末設備の中の各第２の端末設備の端末特定基準信号の構成情報、当該第２の伝送リソースプール内における各第２の端末設備の端末特定制御チャネルの構成情報、及び、当該第１のセルが各第２の端末設備に対して割り当てた当該第２の伝送リソースプール中における伝送リソースの情報の中の、少なくとも一つを含む。
【００１８】
オプションとして、当該第２の送受信ノードが当該第１のセルの干渉情報を第１の送受信ノードへ送信する前に、当該方法は、当該第２の送受信ノードが当該第１の送受信ノードにより送信された要求指示を受信することをさらに含み、ここで、当該要求指示は、当該第２の送受信ノードが当該少なくとも一つの目標伝送リソースプールにおける当該第１のセルの干渉情報を送信するように要求するための要求指示であり、、当該第２の送受信ノードが当該第１のセルの干渉情報を第１の送受信ノードへ送信することは、当該第２の送受信ノードが、当該要求指示に従って、当該少なくとも一つの目標伝送リソースプールの中の各目標伝送リソースプールにおける当該第１のセルの干渉情報を、当該第１の送受信ノードへ送信することを含み、ここで、当該目標伝送リソースプールにおける当該潜在的干渉セルの干渉情報は、当該目標伝送リソースプールにおける当該潜在的干渉セルの複信モード情報、当該目標伝送リソースプールにおける当該潜在的干渉セルの多重アクセス技術情報、当該目標伝送リソースプールにおける当該潜在的干渉セルの物理層パラメータ、及び、当該目標伝送リソースプールにおける当該潜在的干渉セルのリソース割り当て情報の中の、少なくとも一つを含む。
【００１９】
本発明のある態様において、オプションとして、当該少なくとも一つの第１の伝送リソースプールは、当該潜在的干渉セルに対して割り当てたすべて或いは一部の伝送リソースプールであってもよい。
【００２０】
本発明のある態様において、オプションとして、当該少なくとも一つの第２の伝送リソースプールは、当該潜在的干渉セルに対して割り当てたすべての伝送リソースプール又は一部の伝送リソースプールであってもよい。
【００２１】
本発明のある態様において、当該潜在的干渉セルの複信モード情報は、少なくとも一つの第３の伝送リソースプールの中の各第３の伝送リソースプールにおいて当該潜在的干渉セルが採用する複信モードの情報を含む。
【００２２】
本発明のある態様において、オプションとして、当該複信モードは、周波数分割複信、時分割複信、設備間Ｄ２Ｄ、および、全二重の中の、１つであってもよい。
【００２３】
本発明のある態様において、オプションとして、当該少なくとも一つの第３の伝送リソースプールは、当該潜在的干渉セルに対して割り当てたすべての伝送リソースプール又は一部の伝送リソースプールであってもよい。
【００２４】
本発明のある態様において、オプションとして、当該潜在的干渉セルの多重アクセス技術情報は、少なくとも一つの第４の伝送リソースプールの中の各第４の伝送リソースプールにおいて当該潜在的干渉セルが採用する多重アクセス技術の情報を含む。
【００２５】
本発明のある態様において、オプションとして、当該多重アクセス技術は、直交周波数分割多重アクセスＯＦＤＭＡ、フィルタリングされたＯＦＤＭＡ、ＣＤＭＡ、および、非直交多重アクセス技術の中の、１つであってもよい。
【００２６】
本発明のある態様において、オプションとして、当該少なくとも一つの第４の伝送リソースプールは、当該潜在的干渉セルに対して割り当てたすべての伝送リソースプール又は一部の伝送リソースプールであってもよい。
【００２７】
本発明のある態様において、オプションとして、当該物理層パラメータは、多重アクセス技術基本伝送パラメータ、フレーム構造パラメータ、及び、サブフレーム構造パラメータの中の、少なくとも一つを含む。
【００２８】
本発明のある態様において、オプションとして、当該フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含む。
【００２９】
本発明のある態様において、オプションとして、当該サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含む。
【００３０】
本発明のある態様において、オプションとして、第２の伝送リソースプールにおける当該潜在的干渉セルのリソース割り当て情報は、当該第２の伝送リソースプール内における、当該潜在的干渉セルのサービスを受ける少なくとも一つの第２の端末設備の中の各第２の端末設備の端末特定基準信号の構成情報、当該第２の伝送リソースプール内における各第２の端末設備の端末特定制御チャネルの構成情報、及び、当該潜在的干渉セルが各第２の端末設備に対して割り当てた当該第２の伝送リソースプール中における伝送リソースの情報の中の、少なくとも一つを含む。
【００３１】
本発明のある態様において、オプションとして、目標伝送リソースプールにおける当該潜在的干渉セルの干渉情報は、当該目標伝送リソースプールにおける当該潜在的干渉セルの複信モード情報、当該目標伝送リソースプールにおける当該潜在的干渉セルの多重アクセス技術情報、当該目標伝送リソースプールにおける当該潜在的干渉セルの物理層パラメータ、及び、当該目標伝送リソースプールにおける当該潜在的干渉セルのリソース割り当て情報の中の、少なくとも一つを含む。
【００３２】
第４の態様によると、上記の第１の態様、或いは、第１の態様のいずれか実現可能の態様中の方法を実行するための、セル間干渉を除去するための装置を提供する。具体的に、当該装置は、上記の第１の態様、或いは、第１の態様のいずれか実現可能の態様中の方法を実行するためのユニットを、含んでもよい。
【００３３】
第５の態様によると、上記の第２の態様、或いは、第２の態様のいずれか実現可能の態様中の方法を実行するための、セル間干渉を除去するための装置を提供する。具体的に、当該装置は、上記の第２の態様、或いは、第２の態様のいずれか実現可能の態様中の方法を実行するためのユニットを、含んでもよい。
【００３４】
第６の態様によると、上記の第３の態様、或いは、第３の態様のいずれか実現可能の態様中の方法を実行するための、セル間干渉を除去するための装置を提供する。具体的に、当該装置は、上記の第３の態様、或いは、第３の態様のいずれか実現可能の態様中の方法を実行するためのユニットを、含んでもよい。
【００３５】
第７の態様によると、セル間干渉を除去するための装置を提供し、当該装置は、記憶ユニットおよびプロセッサを含む。当該記憶ユニットは、命令を記憶し、当該プロセッサは、当該記憶装置に記憶された命令を実行する。また、当該プロセッサによって当該記憶装置に記憶された命令が実行される場合、当該実行によって、当該プロセッサが第１の態様、或いは、第１の態様のいずれか実現可能の態様中の方法を実行するようにする。
【００３６】
第８の態様によると、セル間干渉を除去するための装置を提供し、当該装置は、記憶ユニットおよびプロセッサを含む。当該記憶ユニットは、命令を記憶し、当該プロセッサは、当該記憶装置に記憶された命令を実行する。また、当該プロセッサによって当該記憶装置に記憶された命令が実行される場合、当該実行によって、当該プロセッサが第２の態様、或いは、第２の態様のいずれか実現可能の態様中の方法を実行するようにする。
【００３７】
第９の態様によると、セル間干渉を除去するための装置を提供し、当該装置は、記憶ユニットおよびプロセッサを含む。当該記憶ユニットは、命令を記憶し、当該プロセッサは、当該記憶装置に記憶された命令を実行する。また、当該プロセッサによって当該記憶装置に記憶された命令が実行される場合、当該実行によって、当該プロセッサが第３の態様、或いは、第３の態様のいずれか実現可能の態様中の方法を実行するようにする。
【００３８】
第１０の態様によると、コンピュータプログラムを記憶するためのコンピュータ読み取り可能の媒体を提供し、当該コンピュータプログラムは、第１の態様、或いは、第１の態様のいずれか実現可能の態様中の方法を実行するための命令を含む。
【００３９】
第１１の態様によると、コンピュータプログラムを記憶するためのコンピュータ読み取り可能の媒体を提供し、当該コンピュータプログラムは、第２の態様、或いは、第２の態様のいずれか実現可能の態様中の方法を実行するための命令を含む。
【００４０】
第１２の態様によると、コンピュータプログラムを記憶するためのコンピュータ読み取り可能の媒体を提供し、当該コンピュータプログラムは、第３の態様、或いは、第３の態様のいずれか実現可能の態様中の方法を実行するための命令を含む。
【００４１】
第１３の態様によると、無線通信システムを提供し、当該システムは、第４の態様、或いは、第４の態様のいずれか可能実現方式中の装置、第５の態様、或いは、第５の態様のいずれか実現可能な方法中の装置、及び、第６の態様、或いは、第６の態様のいずれか実現可能な方法中の装置を、含んでもよい。或いは、当該無線通信システムは、第７の態様、或いは、第７の態様のいずれか可能実現方式中の装置、第８の態様、或いは、第８の態様のいずれか実現可能な方法中の装置、及び、第９の態様、或いは、第９の態様のいずれか実現可能な方法中の装置を、含んでもよい。
【図面の簡単な説明】
【００４２】
【図１】本発明の実施例において応用する無線通信システムの例示的なアーキテクチャである。
【図２】本発明の実施例によって提供されるセル間干渉を除去するための方法の例示的なフローチャートである。
【図３】本発明の実施例によって提供されるセル間干渉を除去するための装置の例示的なブロック図である。
【図４】本発明のもう一実施例によって提供されるセル間干渉を除去するための装置の例示的なブロック図である。
【図５】本発明のもう一実施例によって提供されるセル間干渉を除去するための装置の例示的なブロック図である。
【図６】本発明のもう一実施例によって提供されるセル間干渉を除去するための装置の例示的なブロック図である。
【図７】本発明のもう一実施例によって提供されるセル間干渉を除去するための装置の例示的なブロック図である。
【図８】本発明のもう一実施例によって提供されるセル間干渉を除去するための装置の例示的なブロック図である。
【図９】本発明の実施例によって提供されるセル間干渉を除去するためのシステムの例示的なブロック図である。
【発明を実施するための形態】
【００４３】
以下、本発明の実施例の構成をさらに明確に説明するために、実施例または先行技術の説明で必要となる図面を簡単に説明し、ここで、以下に記載されている図面は、単なる本発明の幾つかの実施例に過ぎず、当業者にとって、創造的な労力を払わない前提で、これらの図面に基づいてその他の図面が得られることは、明らかである。
【００４４】
以下、本発明の実施例の図面を結合して、本発明の実施例の技術案を明確的且つ全面的に説明する。当然ながら、説明されている実施例は、本発明の一部の実施例に過ぎず、全ての実施例ではない。当業者によって本発明の実施例に基づいて創造的な労力を払わずに得られる全てのその他の実施例は、本発明の範囲内に属する。
【００４５】
なお、本願の用語である「システム」及び「ネットワーク」は、本願において互換して使用することができる。本願における用語である「及び／又は」は、単なる関連対象の対応関係を説明しているだけであり、３つの関係が表されることができる。例えば、Ａ及び／又はＢは、Ａのみが存在する場合と、Ａ及びＢの両方とも存在する場合と、Ｂのみが存在する場合とを表すことができる。さらに、本願における文字“／”は、概して前後関連対象間の「又は」という関係を表している。
【００４６】
図１は、本発明の実施例において応用することが可能な無線通信システム１００のアーキテクチャの模式図である。当該無線通信システム１００は、グローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、汎用パケット無線サービス（ＧＰＲＳ：Ｇｅｎｅｒａｌ  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバルインターコネクトマイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどであってもよい。
【００４７】
当該無線通信システム１００は、図１に示すように、複数の送受信ノード（ＴＲＰ：Ｔｒａｎｓｍｉｓｓｉｏｎ  ａｎｄ  Ｒｅｃｅｐｔｉｏｎ  Ｐｏｉｎｔ）１１０と、複数の端末設備１２０を含み、簡潔化のために、ここでは二つの送受信ノードのみを示しているが、本発明の実施例は送受信ノードの数に対して限定しない。各送受信ノードは、ある特定の地理的エリアに対して通信カバーレッジを提供することができ、送受信ノードのカバーレッジエリアは、複数のもっと小さいエリアに分割されることができ、各もっと小さいエリアをセルと呼んでよい。図１は、送受信ノード１１０のカバーレッジエリアが１０４ａ、１０４ｂおよび１０４ｃの三つのセルに分割された場合を例示的に示しているが、本発明の実施例において、１つの送受信ノードは、１つ又は複数のセルをサポートすることができ、本発明の実施例ではこれに対して限定しない。
【００４８】
図１は、送受信ノードのカバーレッジ範囲内に位置する複数の端末設備１２０をさらに示している。簡潔化のために、ここでは各セル内の１つの端末設備を例示的に示しているが、本発明の実施例ではセル中の端末設備の数に対して限定しない。
【００４９】
本発明の実施例において、送受信ノードは、そのカバーレッジ範囲内に位置する端末設備と、無線接続、有線接続、或いは、その他の方法によって接続されてもよく、また、複数のセルラー搬送波の同時伝送をサポートすることができる。オプションとする例において、送受信ノードと端末設備とは、エアーインタフェース（例えば、Ｕｕインタフェース）を介して通信してもよく、送受信ノードから端末設備への通信リンクをダウンリンク（ＤＬ：Ｄｏｗｎｌｉｎｋ）と呼んでもよく、端末設備から送受信ノードへの通信リンクをアップリンク（ＵＬ：Ｕｐｌｉｎｋ）と呼んでもよい。異なる送受信ノード同士の間は、ネットワークインタフェース（例えば、Ｘ２インタフェース）を介して通信してもよい。
【００５０】
オプションとして、本発明の実施例は、異なる送受信ノード同士の間の接続関係において、具体的に、ホモジーニアスのケース、非理想的な接続のヘテロジニアスのケース、或いは、ファイバアクセス接続を採用するヘテロジニアスのケースなどであってもよく、本発明の実施例はこれらに限定されない。
【００５１】
本発明の実施例において、端末設備は、アクセス端末、ユーザ設備（ＵＥ、Ｕｓｅｒ  Ｅｑｕｉｐｍｅｎｔ）、ユーザユニット、ユーザステーション、移動ステーション、移動局、遠隔局、遠隔端末、移動デバイス、ユーザ端末、端末、無線通信デバイス、ユーザエージェント又はユーザ装置を指すことが可能である。端末設備は、セルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯デバイス、計算デバイス又は無線変調復調器に接続するその他のデバイス、車載デバイス、ウェアラブルデバイス、および将来の５Ｇネットワークにおける端末設備、又は将来進化型ＰＬＭＮネットワークにおける端末設備などであってもよい。
【００５２】
本発明の実施例において、送受信ノードは、端末設備と通信するための設備であってもよく、当該送受信ノードは、ＧＳＭシステム又はＣＤＭＡの基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ：Ｅｖｏｌｕｔｉｏｎａｌ  Ｎｏｄｅ  Ｂ又はｅＮｏｄｅＢ）であってもよく、或いは、クラウド無線アクセスネットワーク（ＣＲＡＮ：Ｃｌｏｕｄ  Ｒａｄｉｏ  Ａｃｃｅｓｓ  Ｎｅｔｗｏｒｋ）中のワイヤレスコントローラであってもよい。或いは、当該ノードは、中継局、アクセスポイント、車載デバイス、ウェアラブルデバイス及び将来の５Ｇネットワークにおけるアクセスネットワークデバイス或いは将来進化型ＰＬＭＮネットワークにおけるノードなどであってもよい。
【００５３】
当該無線通信システム１００は、さらに、その他のネットワーク設備を含んでもよく、簡潔化のために、図１では示していないが、本発明の実施例はこれらに限定されない。
【００５４】
無線通信システム１００において、送受信ノードは、管理するセル内で異なる伝送技術（Ｔｒａｎｓｍｉｓｓｉｏｎ  Ｓｃｈｅｍｅ）を採用してもよく、例えば、異なる複信モード（Ｄｕｐｌｅｘ  Ｍｏｄｅ）、多重アクセス接続技術（Ｍｕｌｔｉｐｌｅ  Ａｃｃｅｓｓ  Ｓｃｈｅｍｅ）などを採用してもよい。また、異なる物理層パラメータ（ＰＨＹ  Ｐａｒａｍｅｔｅｒ）を採用してもよく、例えば、異なるサブ搬送波間隔（Ｓｕｂｃａｒｒｉｅｒ  Ｓｐａｃｉｎｇ）、チップレート（Ｃｈｉｐ  Ｒａｔｅ）、フレーム構造などを採用してもよい。なお、送受信ノードは、１つのセル内で異なる時間−周波数リソースにおいても異なる伝送技術および物理層パラメータを使用してもよく、本発明の実施例はこれに対して限定しない。
【００５５】
図２は、本発明の実施例によって提供されるセル間干渉を除去するための方法２００を示している。当該方法２００は、様々な無線通信システムに応用されてもよく、例えば、図１に示される無線通信システム１００に応用されてもよく、本発明の実施例はこれらに限定されない。
【００５６】
Ｓ２１０において、第２の送受信ノードが第１のセルの干渉情報を第１の送受信ノードへ送信し、ここで、当該第１のセルは、当該第２の送受信ノードに属する。
【００５７】
当該第１のセルは、第１の端末設備の潜在的干渉セルであってもよく、ここで、当該第１の端末設備の現在のサービスセルは、当該第１の送受信ノードに属してもよい。当該第１の端末設備の潜在的干渉セルは、当該第１の端末設備の現在のサービスセルの隣接セルであってもよい。当該潜在的干渉セルは、現在、当該第１の端末設備に対して干渉を引き起こしているのセルであってもよく、或いは、第１の端末設備に対して干渉を引き起こす可能性があるセルであってもよく、本発明の実施例はこれに対して限定しない。
【００５８】
当該第１のセルは、第２の送受信ノードに属し、また、当該第１のセルは、具体的に、１つ又は複数のセルを示してもよい。もし、当該第１のセルが具体的に複数のセルを示す場合、当該第１のセルの干渉情報は、当該複数のセルの中の各セルの干渉情報を含んでもよく、本発明の実施例はこれに対して限定しない。
【００５９】
本発明の実施例において、当該第１のセルに対して１つ又は複数の伝送リソースプールが設定されてもよい。各伝送リソースプールは、当該第１のセルが利用できる伝送リソースからなる１つの伝送リソースセットに対応されてもよく、ここで、当該利用できる伝送リソースは、利用できる時間−周波数リソース、コードドメインリソース、及び／或いは、スペースドメインリソースなどを含んでもよく、本発明の実施例はこれに対して限定しない。
【００６０】
オプションとして、第１のセルの干渉情報は、当該第１のセルの複信モード情報、当該第１のセルの多重アクセス技術情報、少なくとも一つの第１の伝送リソースプールの中の各第１の伝送リソースプールにおける当該第１のセルの物理層パラメータ、及び、少なくとも一つの第２の伝送リソースプールの中の各第２の伝送リソースプールにおける当該第１のセルのリソース割り当て情報の中の、少なくとも一つを含んでもよく。
【００６１】
オプションとして、当該少なくとも一つの第１の伝送リソースプールの中のいずれか第１の伝送リソースプールは、当該少なくとも一つの第２の伝送リソースプールの中のいずれか第２の伝送リソースプールと、異なってもよく、即ち、当該少なくとも一つの第１の伝送リソースと当該少なくとも一つの第２の伝送リソースプールとの間には、共通しなくでもよい。或いは、当該少なくとも一つの第１の伝送リソースプールの中の一部の第１の伝送リソースプールは、当該少なくとも一つの第２の伝送リソースプールの中の一部の第２の伝送リソースと、同一であり、残りの一部の第１の伝送リソースプールは、残りの一部の第２の伝送リソースプールと、異なってもよく、即ち、当該少なくとも一つの第１の伝送リソースプールと、当該少なくとも一つの第２の伝送リソースプールとの間には、部分的に共通してもよい。或いは、当該少なくとも一つの第１の伝送リソースプールは、当該少なくとも一つの第２の伝送リソースプールと、1対1で同じであってもよく、即ち、当該少なくとも一つの第１の伝送リソースプールは、当該少なくとも一つの第２の伝送リソースプールと、完全に重なり合ってもよく、例えば、当該少なくとも一つの第１の伝送リソースプールと、当該少なくとも一つの第２の伝送リソースプールとは、いずれも、当該第１のセルに対して割り当てた全部の伝送リソースプールであってもよく、本発明の実施例はこれらに限定されない。
【００６２】
具体的に、当該第１のセルの複信モード情報は、当該第１のセルが採用する複信モードを示すために使用されてもよい。オプションとして、当該複信モードは、周波数分割複信(Ｆｒｅｑｕｅｎｃｙ  Ｄｉｖｉｓｉｏｎ  Ｄｕｐｌｅｘ)、時分割複信（Ｔｉｍｅ  Ｄｉｖｉｓｉｏｎ  Ｄｕｐｌｅｘ）、設備間（Ｄ２Ｄ：Ｄｅｖｉｃｅ  ｔｏ  Ｄｅｖｉｃｅ）、或いは、全二重などの中の、いずれか一つ、本発明の実施例はこれに対して限定しない。
【００６３】
オプションとして、当該第１のセルは、当該第１のセルのすべての伝送リソースプールにおいて、同一の複信モードを採用してもよく、この場合、当該第１のセルの複信モード情報は、具体的に、すべての伝送リソースプールにおいて当該第１のセルが採用する唯一の複信モードを示すために使用されてもよい。即ち、当該複信モード情報が示す複信モードの数は１つであり、また、当該複信モードは、当該第１のセルのすべての伝送リソースセットに適用されてもよい。オプションとして、当該第１のセルは、異なる伝送リソースプールにおいて異なる複信モードを採用してもよく、この場合、当該第１のセルの複信モード情報は、具体的に、少なくとも一つの第３の伝送リソースプールの中の各第３の伝送リソースプールにおいて当該第１のセルが採用する複信モードを示すために使用されてもよい。ここで、当該少なくとも一つの第３の伝送リソースプールは、当該第１のセルのすべての伝送リソースプールの中の一部の或いは全部の伝送リソースプールであってもよい。即ち、当該第１のセルの複信モード情報は、具体的に、当該第１のセルの少なくとも一つの第３の伝送リソースプールに1対1対応される少なくとも一つの複信モードを示すために使用されてもよく、各複信モードは、自身に対応される第３の伝送リソースプールのみに適用されてもよく、本発明の実施例はこれに対して限定しない。
【００６４】
もう１つのオプションの実施例として、当該第１のセルの干渉情報は、さらに、当該第１のセルの複信モード情報を明示的に含まず、その他の方法によって当該第１のセルが採用する複信モードを暗黙的に示すことができる。例えば、当該第１のセル（或いは、当該第１のセルのある伝送リソースプール）の物理層パラメータによって、当該第１のセル（或いは、当該伝送リソースプール内における当該第１のセル）が採用する複信モードを暗黙的に示すことができる。オプションとする例において、もし、当該第１のセルの物理層パラメータが当該第１のセル（或いは、第１のセルのある伝送リソースプール）のアップリンク及びダウンリンクのサブフレーム或いはシンボル比率を含む場合、当該第１のセル（或いは、当該伝送リソースプール内における当該第１のセル）が採用する複信モードがＴＤＤであることを示すことができる。もし、当該第１のセルの物理層パラメータが当該第１のセル（或いは、当該第１のセルのある伝送リソースプール）のアップサブフレームおよびシンボル比率を含まない場合、当該第１のセル（或いは、当該伝送リソースプール内における当該第１のセル）が採用する複信モードがＦＤＤであることを示すことができる。しかし、本発明の実施例はこれらに限定されない。
【００６５】
当該第１のセルの多重アクセス技術情報は、当該第１のセルが採用する多重アクセス技術を示すために使用されてもよい。オプションとして、当該多重アクセス技術は、具体的に、直交周波数分割多元接続(ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ)、フィルタリングされたＯＦＤＭＡ（Ｆｉｌｔｅｒｅｄ−ＯＦＤＭＡ）、ＣＤＭＡ、或いは、非直交多重アクセス技術などの中の、いずれか一つであってもよいが、本発明の実施例はこれに対して限定しない。
【００６６】
オプションとして、当該第１のセルは、当該第１のセルのすべての伝送リソースプールにおいて同一の多重アクセス技術を採用してもよく、この場合、当該第１のセルの多重アクセス技術情報は、具体的に、すべての伝送リソースプールにおいて当該第１のセルが採用する唯一の多重アクセス技術を示してもよい。即ち、当該第１のセルの多重アクセス技術情報が示す多重アクセス技術の数は１つであり、また、当該多重アクセス技術は、当該第１のセルのすべての伝送リソースプールに適用されてもよい。オプションとして、当該第１のセルは、異なる伝送リソースプールにおいてに異なる多重アクセス技術を採用してもよく、この場合、当該第１のセルの多重アクセス技術情報は、具体的に、少なくとも一つの第４の伝送リソースプールの中の各第４の伝送リソースプールにおいて当該第１のセルが採用する多重アクセス技術を示すために使用されてもよい。ここで、当該少なくとも一つの第４の伝送リソースプールは、当該第１のセルのすべての伝送リソースプールの中の一部の或いは全部の伝送リソースプールであってもよい。即ち、当該第１のセルの多重アクセス技術情報は、具体的に、当該第１のセルの少なくとも一つの第４の伝送リソースプールに1対1対応される少なくとも一つの多重アクセス技術を示すために使用されてもよく、各多重アクセス技術は、自身に対応される第４の伝送リソースプールのみに適用されてもよく、本発明の実施例はこれに対して限定しない。
【００６７】
もう１つのオプションの実施例として、当該第１のセルの干渉情報は、さらに、当該第１のセルの多重アクセス技術情報を明示的に含まず、その他の方法によって当該第１のセルが採用する多重アクセス技術を暗黙的に示してもよい。例えば、第１のセル（或いは、当該第１のセルのある伝送リソースプール）の物理層パラメータによって、当該第１のセル（或いは、当該伝送リソースプール内における当該第１のセル）が採用する多重アクセス技術を暗黙的に示してもよい。オプションとする例において、もし、当該第１のセルの物理層パラメータが当該第１のセル（或いは、当該第１のセルの伝送リソースプール）のサブ搬送波間隔を含む場合、当該第１のセル（或いは、当該伝送リソースプール内における当該第１のセル）が採用する多重アクセス技術がＯＦＤＭＡであることを示すことができる。或いは、もし、当該第１のセルの物理層パラメータが当該第１のセル（或いは、第１のセルのある伝送リソースプール）のチップレートを含む場合、当該第１のセル（或いは、当該伝送リソースプール内における当該第１のセル）が採用する多重アクセス技術がＣＤＭＡを示すことができるが、本発明の実施例はこれらに限定されない。
【００６８】
本発明の実施例において、用語である「第１」、「第２」、「第３」および「第４」は、単に、異なる内容を区別するためのものであり、本発明の実施例に対しいかなる限定とされないことを、理解すべきである。具体的に、「第１」、「第２」、「第３」および「第４」を利用して「伝送リソースプール」を限定したが、これは、単に、異なる可能性がある伝送リソースプールを便利に説明するためであり、必ずしも異なる伝送リソースプールを示すものではない。オプションとして、当該少なくとも一つの第１の伝送リソースプール、当該少なくとも一つの第２の伝送リソースプール、当該少なくとも一つの第３の伝送リソースプール、および、当該少なくとも一つの第４の伝送リソースプールの中の、いずれか二つの異なるセット同士の間は、交差が完全に存在しないか、又は、一部の交差が存在するか、又は、完全に重なり合ってもよく、本発明の実施例はこれに対して限定しない。
【００６９】
当該第１のセルの物理層パラメータは、具体的に、特定の複信モード、及び／或いは、特定の多重アクセス技術を採用する場合に、当該第１のセルが採用する伝送パラメータを示してもよい。オプションとして、当該物理層パラメータは、基本伝送パラメータを含んでもよく、当該基本伝送パラメータは、当該第１のセルが採用する多重アクセス技術に依存することができる。例えば、当該第１のセルが採用する多重アクセス技術がＯＦＤＭＡである場合、当該基本伝送パラメータは、サブ搬送波間隔を含んでもよく、または、多重アクセス技術がＣＤＭＡである場合、当該基本伝送パラメータは、チップレートを含んでもよく、または、当該多重アクセス技術がＦｉｌｔｅｒｅｄ−ＯＦＤＭＡである場合、当該基本伝送パラメータは、フィルタリングされた波形パラメータを含んでもよく、本発明の実施例はこれらに限定されない。
【００７０】
オプションとして、当該物理層パラメータは、さらに、当該第１のセルのフレーム構造構成を示すための、フレーム構造パラメータを含んでもよい。オプションとして、当該フレーム構造パラメータは、サブフレーム或いはタイムスロット長さを含んでもよく、この場合、第２の送受信ノードは、異なるセル内で、異なるサブフレーム或いはタイムスロット長さを採用することができるが、本発明の実施例はこれらに限定されない。オプションとして、当該フレーム構造パラメータは、さらに、フレーム内のアップリンク及びダウンリンクの構成を含んでもよく、具体的に、フレーム内アップおよびダウンによってそれぞれ占用された、タイムドメインリソース、周波数ドメインリソース、コードドメインリソースなどのような伝送リソースを示してもよい。オプションとして、当該フレーム構造パラメータは、さらに、フレーム内共通基準信号（ＣＲＳ：Ｃｏｍｍｏｎ  Ｒｅｆｅｒｅｎｃｅ  Ｓｉｇｎａｌ）の構成を含んでもよく、具体的に、基準信号によって占用された伝送リソースを示してもよい。オプションとして、当該フレーム構造パラメータは、さらに、フレーム内の共通チャネル構成、及び／或いは、制御チャネル構成を含んでもよく、ここで、当該制御チャネル構成は、共通制御チャネル構成、及び／或いは、専用制御チャネル構成を含んでもよい。具体的に、当該フレーム内の共通チャネル構成は、無線フレーム内において制御チャネルによって占用されたタイムドメインリソース、周波数ドメインリソース、コードドメインリソース、および、スペースドメインリソースの中の、少なくとも一つを示してもよく、当該フレーム内の制御チャネル構成は、無線フレーム内において制御チャネルによって占用されたタイムドメインリソース、周波数ドメインリソース、コードドメインリソース、および、スペースドメインリソースの中の、少なくとも一つを示してもよく、本発明の実施例はこれらに限定されない。
【００７１】
オプションとして、当該物理層パラメータは、さらに、当該第１のセルのサブフレーム構造構成を示すためのサブフレーム構造パラメータを含んでもよい。オプションとして、当該サブフレーム構造パラメータは、サブフレーム内のアップリンク及びダウンリンクの伝送リソースの構成、サブフレーム内の共通チャネル構成、及び、サブフレーム内の制御チャネル構成を含んでもよく、例えば、サブフレーム内における共通チャネル、及び／或いは、制御チャネルによって占用されたタイムドメインリソース、周波数ドメインリソース、コードドメインリソース、および、スペースドメインリソースの中の、少なくとも一つを示してもよいが、本発明の実施例はこれに対して限定しない。
【００７２】
オプションとして、当該第１のセルは、当該第１のセルのすべての伝送リソースプールにおいて、いずれも、同一の物理層パラメータを採用してもよく、この場合、当該第１のセルの干渉情報は、すべての伝送リソースプールにおいて当該第１のセルが採用する物理層パラメータを含んでもよい。即ち、当該干渉情報は、１つの物理層パラメータセットのみをを含んでもよい。或いは、当該第１のセルは、異なる伝送リソースプールにおいて異なる物理層パラメータを採用してもよく、この場合、当該第１のセルの干渉情報は、具体的に、少なくとも一つの第１の伝送リソースプールの中の各第１の伝送リソースプールにおいて当該第１のセルが採用する物理層パラメータを含んでもよく、また、異なる第１の伝送リソースプールに対応される物理層パラメータの種類は同一であるかまたは異なってもよい。即ち、当該第１のセルの干渉情報は、当該第１のセルの少なくとも一つの第１の伝送リソースプールに1対1対応される少なくとも一つの物理層パラメータセットを含んでもよいが、本発明の実施例はこれに対して限定しない。
【００７３】
オプションとして、本発明の実施例において、当該第１のセルの干渉情報は、さらに、当該第１のセルの１つ又は複数の第２の伝送リソースプールの中の各第２の伝送リソースプールのリソース割り当て情報を含んでもよい。ここで、伝送リソースプールのリソース割り当て情報は、当該伝送リソースプール内の伝送リソースに対する当該第１のセルの割り当て状況を示してもよく、例えば、具体的に、第１のセルが、当該第１のセルのサービスを受ける少なくとも一つの第２の端末設備の中の各第２の端末設備に対して割り当てた当該伝送リソースプール内の伝送リソースを示してもよい。ここで、当該第１のセルと第２の端末設備との間のデータ伝送は、第１の送受信ノードと当該第１の端末設備との間のデータ伝送に対して、現在、干渉を引き起こしているか、或いは、干渉を引き起こす可能性がある。オプションとして、伝送リソースプールのリソース割り当て情報は、当該伝送リソースプール内における各第２の端末設備の端末特定基準信号（ＵＥ−Ｓｐｅｃｉｆｉｃ  Ｒｅｆｅｒｅｎｃｅ  Ｓｉｇｎａｌ）の構成情報、当該伝送リソースプール内における各第２の端末設備の端末特定制御チャネル（ＵＥ−Ｓｐｅｃｉｆｉｃ  Ｒｅｆｅｒｅｎｃｅ  Ｓｉｇｎａｌ）の構成情報、及び、当該伝送リソースプールにおいて各第２の端末設備によって占用された伝送リソースの情報の中の、少なくとも一つを含んでもよい。オプションとして、当該伝送リソースプールのリソース割り当て情報は、さらに、その他の情報を含んでもよいが、本発明の実施例はこれに対して限定しない。
【００７４】
伝送リソースプール内における第２の端末設備の端末特定基準信号の構成情報は、当該伝送リソースプール内において第２の端末設備の端末特定基準信号によって占用された伝送リソースを示してもよい。伝送リソースプール内における第２の端末設備の端末特定制御チャネルの構成情報は、当該伝送リソースプール内において当該第２の端末設備の端末特定制御チャネルによって占用された伝送リソースを示してもよい。オプションとして、伝送リソースプールのリソース割り当て情報は、さらに、当該伝送リソースプール内における第２の端末設備の伝送パラメータを含んでもよく、ここで、当該伝送パラメータは、複数入力複数出力（ＭＩＭＯ：Ｍｕｌｔｉｐｌｅ  Ｉｎｐｕｔ  Ｍｕｌｔｉｐｌｅ  Ｏｕｔｐｕｔ）パラメータ、変調符号化フォーマット、拡散コード、および、スクランブリングコード中の、１つまたは複数を含んでもよいが、本発明の実施例はこれに対して限定しない。
【００７５】
従来技術において、もし、ＴＲＰ１に属されたセル１によって端末設備１に対してサービスを提供し、また、ＴＲＰ１に属されたセル１によって端末設備１に対して割り当てた時間−周波数リソース範囲内で、ＴＲＰ２に属されたセル２が端末設備２および端末設備３に対して伝送リソースを割り当てる場合、ＴＲＰ２が端末設備２又は端末設備３に送信する信号は、いずれも、ＴＲＰ１が端末設備１に送信する信号を干渉することになり、ここで、ＴＲＰ２が端末設備２および端末設備３に送信する信号は別々に符号化されたものであり、それに応じて、復号化および干渉再構成（Ｉｎｔｅｒｆｅｒｅｎｃｅ  Ｒｅｃｏｎｓｔｒｕｃｔｉｏｎ）も必ず別々に行う必要があり、したがって、端末設備１は、自身が受けた干渉がどれだけの端末設備からの信号を含むかを承知する必要があり、さらに、これら何個の端末設備によって占められた時間−周波数リソースの境目を承知する必要があるが、これを実現することが非常に困難である。このように、干渉セル内の端末設備の符号化のコードによって占用されたリソースと、サービスセル内の端末設備の符号化のコードによって占用されたリソースとは、完全に重なり合うことができず、被干渉端末設備は干渉除去を行うことができなくなってしまう。本発明の実施例においては、干渉セルが、関連される端末設備に対して割り当てた時間−周波数リソースの情報を、被干渉端末設備のサービスセルに送信し、その後、サービスセルによって当該情報を被干渉端末設備に送信する。このようにして、被干渉端末設備は、当該情報に基づいて、受信した信号に対して復号化および再構成干渉を行うことができ、さらに、干渉除去を実現することができる。例えば、上記の例において、端末設備２および端末設備３の時間−周波数リソース範囲が端末設備１の時間−周波数リソースの範囲を超えたが、端末設備１は端末設備２および端末設備３の干渉信号を再構成した後に、当該干渉信号と自身の時間−周波数リソースとが重なり合う部分だけを差し引きさえすれば、干渉除去を実現することができる。例えば、端末設備１が受信する必要がある信号の周波数ドメイン範囲が３〜５ＭＨｚであり、干渉セルが端末設備２に送信する信号が２〜４ＭＨｚをカバーレッジし、また、干渉セルが端末設備３に送信する信号が４〜６ＭＨｚをカバーレッジすると仮定する場合、端末設
備１が差し引きようとする干渉の周波数ドメイン範囲は３〜５ＭＨｚであるが、この部分の干渉が二つの端末設備に送信する信号から構成されるため、別々に再構成を行う必要がある。具体的に、当該端末設備１は、２〜４ＭＨｚの周波数ドメイン範囲の干渉を再構成してから、ここでの３〜４ＭＨｚの部分を差し引き、さらに、４〜６ＭＨｚの周波数ドメイン範囲の干渉を再構成してから、ここでの４〜５ＭＨｚの部分を差し引くことができるが、本発明の実施例はこれらに限定されない。
【００７６】
オプションとして、当該第１のセルの干渉情報は、さらに、当該第１のセルのセル識別子を含んでもよいし、或いは、さらに、その他の情報をを含んでもよいが、本発明の実施例はこれに対して限定しない。
【００７７】
もう１つのオプションの実施例として、当該第２の送受信ノードは、さらに、当該第１の送受信ノードが当該第１の送受信ノードの少なくとも一つの目標セルの中の各目標セルの干渉情報を当該第２の送受信ノードへ送信するように要求するための要求指示（Ｉｎｖｏｋｅ  Ｉｎｄｉｃａｔｉｏｎ）を、当該第１の送受信ノードへ送信してもよい。オプションとして、当該要求指示は、目標セルのセル識別子および当該目標セルの目標伝送リソースプール、及び／或いは、目標時間−周波数リソースの情報を含むことで、当該第１の送受信ノードが、目標伝送リソースプール、及び／或いは、目標時間−周波数リソースにおける目標セルの干渉情報を送信するように、要求してもよい。オプションとして、当該要求指示は、さらに、伝送技術指示、物理層パラメータ指示、および、リソース割り当て指示の中の、少なくとも一つを含んでもよい。ここで、伝送技術指示は、当該第１の送受信ノードが目標セル伝送技術情報を送信するように要求してもよく、それに応じて、当該第１の送受信ノードは、当該伝送技術指示に従って、目標伝送リソースプール、及び／或いは、目標時間−周波数リソースにおいて当該目標セルが採用する伝送技術の情報を、当該第２の送受信ノードへ送信してもよい。物理層パラメータ指示は、当該第１の送受信ノードが目標セルの物理層パラメータを送信するように要求してもよく、それに応じて、当該第１の送受信ノードは、当該物理層パラメータ指示に従って、目標伝送リソースプール、及び／或いは、目標時間−周波数リソースにおいて目標セルが採用する物理層パラメータを、当該第２の送受信ノードへ送信してもよい。リソース割り当て指示は、当該第１の送受信ノードが目標セルのリソース割り当て情報を送信するように要求してもよく、それに応じて、当該第１の送受信ノードは、当該リソース割り当て指示に従って、目標伝送リソースプール、及び／或いは、目標時間−周波数リソースにおける目標セルのリソース割り当て情報を、第２の送受信ノードへ送信してもよい。オプションとして、当該要求指示は、さらに、その他の情報を含んでもよく、本発明の実施例はこれらに限定されない。
【００７８】
オプションとして、当該第２の送受信ノードは、同一のメッセージ又は異なるメッセージ中に、当該第１のセルの干渉情報および当該要求指示を付加してもよく、本発明の実施例はこれに対して限定しない。
【００７９】
本発明の実施例において、当該第２の送受信ノードは、当該第２の送受信ノードと当該第１の送受信ノードとの間のネットワークインタフェースを介して、当該第１のセルの干渉情報を当該第１の送受信ノードへ送信してもよい。１つのオプションの実施例として、ネットワークインタフェースを介して伝送する干渉情報は、表１に示されるフォーマットを有してもよい。
【００８０】
表１：ネットワークインタフェースを介して伝送する干渉情報フォーマットの例
【表１】
2020115693.tif 000003
2020115693.tif 000004
【００８１】
表１は、単に、当該干渉情報のフォーマットを例示的に示しているが、オプションとして、当該干渉情報は、表１に示される少なくとも一部を含んでもよく、本発明の実施例はこれに対して限定しないことを、理解すべきである。
【００８２】
Ｓ２２０において、第１の送受信ノードは、当該第２の送受信ノードにより送信された第１のセルの干渉情報を受信し、また、当該第１のセルの干渉情報を当該第１の端末設備へ送信してもよい。
【００８３】
オプションとして、第１の送受信ノードは、さらに、第３の送受信ノードにより送信された第２のセルの干渉情報を受信してもよく、ここで、当該第２のセルは当該第３の送受信ノードに属し、また、当該第２のセルは当該第１の端末設備の潜在的干渉セルであってもよい。この場合、当該第１の送受信ノードは、当該第１の端末設備の少なくとも一つの潜在的干渉セルの中の各潜在的干渉セルの干渉情報を、第１の端末設備へ送信してもよく、ここで、当該少なくとも一つの潜在的干渉セルは当該第１のセルおよび当該第２のセルを含んでもよい。
【００８４】
Ｓ２２０において、当該第１の送受信ノードは、当該第１の送受信ノードと第１の端末設備との間のエアーインタフェースを介して、当該少なくとも一つの潜在的干渉セルの中の各潜在的干渉セルの干渉情報を、当該第１の端末設備へ送信してもよい。１つのオプションの実施例として、エアーインタフェースを介して伝送する干渉情報は、表２に示されるフォーマットを有してもよい。
【００８５】
表２：エアーインタフェースを介して伝送する干渉情報フォーマットの例
【表２】
2020115693.tif 000005
2020115693.tif 000006
【００８６】
表２は、単に、当該干渉情報のフォーマットを例示的に示しているが、オプションとして、当該干渉情報は、表２に示される少なくとも一部を含んでもよく、本発明の実施例はこれに対して限定しないことを、理解すべきである。
【００８７】
Ｓ２３０において、第１の端末設備が、第１の送受信ノードにより送信された少なくとも一つの潜在的干渉セルの中の各潜在的干渉セルの干渉情報を受信し、また、当該少なくとも一つの潜在的干渉セルの中の各潜在的干渉セルの干渉情報に基づいて、当該第１の送受信ノードから受信した信号に対して、干渉除去を行う。
【００８８】
本発明の実施例において、オプションとして、当該第２の送受信ノードは、自発的に、当該第１のセルの干渉情報を、当該第１の送受信ノードへ送信してもよい。或いは、Ｓ２１０の前に、当該第１の送受信ノードが、当該第２の送受信ノードが当該第１のセルの干渉情報を送信するように要求するための要求指示を、当該第２の送受信ノードへ送信してもよい。この場合、Ｓ２１０において、当該第２の送受信ノードは、具体的に、受信した当該要求指示に従って、当該第１のセルの干渉情報を当該第１の送受信ノードへ送信してもよい。オプションとして、当該要求指示には当該第１のセルの少なくとも一つの目標伝送リソースプールの情報が付加されていることで、当該第２の送受信ノードが少なくとも一つの目標伝送リソースプールにおける当該第１のセルの干渉情報を当該第１の送受信ノードへ送信するように要求してもよい。それに応じて、当該第２の送受信ノードにより送信された当該第１のセルの干渉情報は、具体的に、当該少なくとも一つの目標伝送リソースプールの中の各目標伝送リソースプールにおける当該第１のセルの干渉情報であってもよく、本発明の実施例はこれらに限定されない。当該第１の送受信ノードが第２の送受信ノードへ送信する要求指示の具体的な実現方法は、上記の関連される記載を参考してよく、簡潔化のために、ここでそれ以上説明しないことを、理解すべきである。
【００８９】
１つのオプションの実施例として、目標伝送リソースプールにおける当該第１のセルの干渉情報は、当該目標伝送リソースプールにおいて当該第１のセルが採用する複信モードの情報、当該目標伝送リソースプールにおいて当該第１のセルが採用する多重アクセス技術の情報、当該目標伝送リソースプールにおける当該第１のセルの物理層パラメータ、及び、当該目標伝送リソースプールにおける当該第１のセルのリソース割り当て情報の中の、少なくとも一つを含んでもよい。この場合、上記の少なくとも一つの第１の伝送リソースプール、少なくとも一つの第２の伝送リソースプール、少なくとも一つの第３の伝送リソースプール、および、少なくとも一つの第４の伝送リソースプールは、いずれも、具体的に、当該少なくとも一つの目標伝送リソースプールであってもよく、本発明の実施例はこれらに限定されない。
【００９０】
このようにして、送信側が、要求指示を利用して、受信側が目標伝送リソース範囲における当該受信側の干渉情報（例えば、伝送技術、及び／或いは、物理層パラメータ）をフィードバックするように要求することで、受信側が目標伝送リソース範囲内における当該受信側の干渉情報のみを送信側にフィードバックするようにすることができて、すべての伝送リソース範囲における当該受信側の干渉情報をフィードバックする必要がなくなって、シグナリングオーバーヘッドを削減することができる。なお、受信側が、当該要求指示中で指示した目標伝送リソース範囲に基づいて、リソーススケジューリングを実行して、受信側のリソース割り当てを可能な限り送信側のリソース割り当てに合わせることによって、セル間干渉除去アルゴリズムの複雑さを低減することができる。
【００９１】
したがって、本発明の実施例のセル間干渉を除去するための方法によると、第２の送受信ノードが潜在的干渉セルの干渉情報を第１の送受信ノードへ送信し、当該第１の送受信ノードが受信した少なくとも一つの潜在的干渉セルの中の各潜在的干渉セルの干渉情報を第１の端末設備へ送信し、第１の端末設備が受信した少なくとも一つの潜在的干渉セルの干渉情報に基づいて干渉除去を行うことによって、セル間干渉除去を実現でき、システム性能を改善できる。
【００９２】
なお、当該干渉情報は、複信モード情報、多重アクセス技術情報、少なくとも一つの伝送リソースプールの中の各伝送リソースプールの物理層パラメータ、及び、少なくとも一つの伝送リソースプールの中の各伝送リソースプールのリソース割り当て情報の中の、少なくとも一つを含むことができることで、異なる伝送技術および物理層パラメータを採用する二つのセルとの間の干渉除去に適用することができる。
【００９３】
本発明の各実施例において、上記の各過程の番号は実施の前後順序と意味せず、各過程の実施順序は、その機能と自身のロジックによって確定されるべきであり、本発明の実施例の実施過程を制限するものになるわけではないことを、理解すべきである。
【００９４】
上記で図２に結合しながら、本発明の実施例のセル間干渉を除去するための方法を詳細に説明した。以下は、図３乃至図９に結合しながら、本発明の実施例に係るセル間干渉を除去するための装置およびシステムを詳細に説明する。
【００９５】
図３は、本発明の実施例によって提供されるセル間干渉を除去するための装置３００の例示的なブロック図である。当該セル間干渉を除去するための装置３００は、
潜在的干渉セルの干渉情報を取得するように構成される取得ユニット３１０と、
当該取得ユニット３１０が取得した当該潜在的干渉セルの干渉情報を第１の端末設備へ送信するように構成される送信ユニット３２０とを含み、
ここで、当該潜在的干渉セルは、第２の送受信ノードに属し、当該潜在的干渉セルの干渉情報は、当該潜在的干渉セルの複信モード情報、当該潜在的干渉セルの多重アクセス技術情報、少なくとも一つの第１の伝送リソースプールの中の各第１の伝送リソースプールにおける当該潜在的干渉セルの物理層パラメータ、及び、少なくとも一つの第２の伝送リソースプールの中の各第２の伝送リソースプールにおける当該潜在的干渉セルのリソース割り当て情報の中の、少なくとも一つを含む。
【００９６】
オプションとして、当該潜在的干渉セルの複信モード情報は、少なくとも一つの第３の伝送リソースプールの中の各第３の伝送リソースプールにおいて当該潜在的干渉セルが採用する複信モードの情報を含む。
【００９７】
オプションとして、当該潜在的干渉セルの多重アクセス技術情報は、少なくとも一つの第４の伝送リソースプールの中の各第４の伝送リソースプールにおいて当該潜在的干渉セルが採用する多重アクセス技術の情報を含む。
【００９８】
オプションとして、当該物理層パラメータは、多重アクセス技術基本伝送パラメータ、フレーム構造パラメータ、及び、サブフレーム構造パラメータの中の、少なくとも一つを含む。
【００９９】
オプションとして、当該フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含む。
【０１００】
オプションとして、当該サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含む。
【０１０１】
オプションとして、第２の伝送リソースプールにおける当該潜在的干渉セルのリソース割り当て情報は、当該第２の伝送リソースプール内における、当該潜在的干渉セルのサービスを受ける少なくとも一つの第２の端末設備の中の各第２の端末設備の端末特定基準信号の構成情報、当該第２の伝送リソースプール内における各第２の端末設備の端末特定制御チャネルの構成情報、及び、当該潜在的干渉セルが各第２の端末設備に対して割り当てた当該第２の伝送リソースプール中における伝送リソースの情報の中の、少なくとも一つを含む。
【０１０２】
オプションとして、当該取得ユニット３１０は、当該潜在的干渉セルが属される第２の送受信ノードが送信した当該潜在的干渉セルの干渉情報を受信するように構成される受信サブユニットを含む。
【０１０３】
オプションとして、当該送信ユニット３２０は、さらに、当該受信サブユニットが当該潜在的干渉セルが属される第２の送受信ノードが送信した当該潜在的干渉セルの干渉情報を受信する前に、当該第２の送受信ノードが当該少なくとも一つの目標伝送リソースプールにおける当該潜在的干渉セルの干渉情報を送信するように要求するための要求指示を、当該第２の送受信ノードへ送信するように構成され、
それに応じて、当該受信サブユニットは、具体的に、当該第２の送受信ノードが当該送信ユニット３２０により送信された当該要求指示に従って送信された、当該少なくとも一つの目標伝送リソースプールの中の各目標伝送リソースプールにおける当該潜在的干渉セルの干渉情報を受信するように構成され、ここで、当該目標伝送リソースプールにおける当該潜在的干渉セルの干渉情報は、当該目標伝送リソースプールにおける当該潜在的干渉セルの複信モード情報、当該目標伝送リソースプールにおける当該潜在的干渉セルの多重アクセス技術情報、当該目標伝送リソースプールにおける当該潜在的干渉セルの物理層パラメータ、及び、当該目標伝送リソースプールにおける当該潜在的干渉セルのリソース割り当て情報の中の、少なくとも一つを含む。
【０１０４】
ここでの装置３００は機能ユニットの形態で具体化されていることを、理解すべきである。オプションとする例において、当業者は、装置３００は、具体的に、上記の実施例中の第１の送受信ノードであり、上記の方法実施例中の第１の送受信ノードに対応される各々の流れ、及び／或いは、ステップを実行でき、重複を避けるために、ここでそれ以上説明しないことを、理解すべきである。
【０１０５】
図４は、本発明のもう一実施例によって提供されるセル間干渉を除去するための装置４００の例示的なブロック図である。当該セル間干渉を除去するための装置４００は、
第１の送受信ノードが送信した潜在的干渉セルの干渉情報を受信するように構成される受信ユニット４１０と、
当該受信ユニット４１０が受信した当該潜在的干渉セルの干渉情報に基づいて、当該第１の送受信ノードから受信した信号に対して、干渉除去を行うように構成される処理ユニット４２０とを含み、
ここで、当該潜在的干渉セルの干渉情報は、当該潜在的干渉セルの複信モード情報、当該潜在的干渉セルの多重アクセス技術情報、少なくとも一つの第１の伝送リソースプールの中の各第１の伝送リソースプールにおける当該潜在的干渉セルの物理層パラメータ、及び、少なくとも一つの第２の伝送リソースプールの中の各第２の伝送リソースプールにおける当該潜在的干渉セルのリソース割り当て情報の中の、少なくとも一つを含む。
【０１０６】
オプションとして、当該潜在的干渉セルの複信モード情報は、少なくとも一つの第３の伝送リソースプールの中の各第３の伝送リソースプールにおいて当該潜在的干渉セルが採用する複信モードの情報を含む。
【０１０７】
オプションとして、当該潜在的干渉セルの多重アクセス技術情報は、少なくとも一つの第４の伝送リソースプールの中の各第４の伝送リソースプールにおいて当該潜在的干渉セルが採用する多重アクセス技術の情報を含む。
【０１０８】
オプションとして、当該物理層パラメータは、多重アクセス技術基本伝送パラメータ、フレーム構造パラメータ、及び、サブフレーム構造パラメータの中の、少なくとも一つを含む。
【０１０９】
オプションとして、当該フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含む。
【０１１０】
オプションとして、当該サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含む。
【０１１１】
オプションとして、第２の伝送リソースプールにおける当該潜在的干渉セルのリソース割り当て情報は、当該第２の伝送リソースプール内における、当該潜在的干渉セルのサービスを受ける少なくとも一つの第２の端末設備の中の各第２の端末設備の端末特定基準信号の構成情報、当該第２の伝送リソースプール内における各第２の端末設備の端末特定制御チャネルの構成情報、及び、当該潜在的干渉セルが各第２の端末設備に対して割り当てた当該第２の伝送リソースプール中における伝送リソースの情報の中の、少なくとも一つを含む。
【０１１２】
ここでの装置４００は機能ユニットの形態で具体化されていることを、理解すべきである。オプションとする例において、当業者は、装置４００は、具体的に、上記の実施例中の第１の端末設備であり、上記の方法実施例中の第１の端末設備に対応される各々の流れ、及び／或いは、ステップを実行でき、重複を避けるために、ここでそれ以上説明しないことを、理解すべきである。
【０１１３】
図５は、本発明のもう一実施例によって提供されるセル間干渉を除去するための装置５００である。当該セル間干渉を除去するための装置５００は、
第１のセルの干渉情報を確定するように構成される処理ユニット５１０と、
当該処理ユニット５１０が確定した当該第１のセルの干渉情報を当該第１の送受信ノードへ送信するように構成される送信ユニット５２０とを含み、
ここで、当該第１のセルは、当該装置に属し、当該第１のセルの干渉情報は、当該第１のセルの複信モード情報、当該第１のセルの多重アクセス技術情報、少なくとも一つの第１の伝送リソースプールの中の各第１の伝送リソースプールにおける当該第１のセルの物理層パラメータ、及び、少なくとも一つの第２の伝送リソースプールの中の各第２の伝送リソースプールにおける当該第１のセルのリソース割り当て情報の中の、少なくとも一つを含む。
【０１１４】
オプションとして、当該第１のセルの複信モード情報は、少なくとも一つの第３の伝送リソースプールの中の各第３の伝送リソースプールにおいて当該第１のセルが採用する複信モードの情報を含む。
【０１１５】
オプションとして、当該第１のセルの多重アクセス技術情報は、当該少なくとも一つの第４の伝送リソースプールの中の各第４の伝送リソースプールにおいて第１のセルが採用する多重アクセス技術の情報を含む。
【０１１６】
オプションとして、当該物理層パラメータは、多重アクセス技術基本伝送パラメータ、フレーム構造パラメータ、及び、サブフレーム構造パラメータの中の、少なくとも一つを含む。
【０１１７】
オプションとして、当該フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含む。
【０１１８】
オプションとして、当該サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含む。
【０１１９】
オプションとして、第２の伝送リソースプールにおける当該第１のセルのリソース割り当て情報は、当該第２の伝送リソースプール内における当該第１のセルのサービスを受ける少なくとも一つの第２の端末設備の中の各第２の端末設備の端末特定基準信号の構成情報、当該第２の伝送リソースプール内における各第２の端末設備の端末特定制御チャネルの構成情報、及び、当該第１のセルが各第２の端末設備に対して割り当てた当該第２の伝送リソースプール中における伝送リソースの情報の中の、少なくとも一つを含む。
【０１２０】
オプションとして、当該装置５００は、当該送信ユニット５２０が当該第１のセルの干渉情報を第１の送受信ノードへ送信する前に、当該第２の送受信ノードが、当該第１の送受信ノードが送信した、当該第２の送受信ノードが当該少なくとも一つの目標伝送リソースプールにおける当該第１のセルの干渉情報を送信するように要求するための要求指示を、受信するように構成される受信ユニットをさらに含み、
それに応じて、当該送信ユニット５２０は、具体的に、当該受信ユニットが受信した当該要求指示に従って、当該少なくとも一つの目標伝送リソースプールの中の各目標伝送リソースプールにおける当該第１のセルの干渉情報を、当該第１の送受信ノードへ送信するように構成され、ここで、当該目標伝送リソースプールにおける当該潜在的干渉セルの干渉情報は、当該目標伝送リソースプールにおける当該潜在的干渉セルの複信モード情報、当該目標伝送リソースプールにおける当該潜在的干渉セルの多重アクセス技術情報、当該目標伝送リソースプールにおける当該潜在的干渉セルの物理層パラメータ、及び、当該目標伝送リソースプールにおける当該潜在的干渉セルのリソース割り当て情報の中の、少なくとも一つを含む。
【０１２１】
ここでの装置５００は機能ユニットの形態で具体化されていることを、理解すべきである。オプションとする例において、当業者は、装置５００は、具体的に、上記の実施例中の第２の送受信ノードであり、上記の方法実施例中の端末設備に対応される各々の流れ、及び／或いは、ステップを実行でき、重複を避けるために、ここでそれ以上説明しないことを、理解すべきである。
【０１２２】
なお、ここでの用語「ユニット」は、アプリケーション特別集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば、共有プロセッサ、専用プロセッサ又はプロセッサセット等）と記憶装置、組み合わせロジック回路及び／又はその他の説明している機能をサポートする適切なコンポーネントを意味することを、理解すべきである。
【０１２３】
図６は、本発明の実施例によって提供されるセル間干渉を除去するための装置６００の例示的なブロック図である。当該セル間干渉を除去するための装置６００は、プロセッサ６１０と当該プロセッサ６１０にカップリンブされたトランスミッター６２０とを、含む。
【０１２４】
プロセッサ６１０は、潜在的干渉セルの干渉情報を取得するように構成され、ここで、当該潜在的干渉セルは、第２の送受信ノードに属し、当該潜在的干渉セルの干渉情報は、当該潜在的干渉セルの複信モード情報、当該潜在的干渉セルの多重アクセス技術情報、少なくとも一つの第１の伝送リソースプールの中の各第１の伝送リソースプールにおける当該潜在的干渉セルの物理層パラメータ、及び、少なくとも一つの第２の伝送リソースプールの中の各第２の伝送リソースプールにおける当該潜在的干渉セルのリソース割り当て情報の中の、少なくとも一つを含み、
トランスミッター６２０は、当該プロセッサ６１０が取得した当該潜在的干渉セルの干渉情報を第１の端末設備へ送信する用に構成される。
【０１２５】
オプションとして、当該潜在的干渉セルの複信モード情報は、少なくとも一つの第３の伝送リソースプールの中の各第３の伝送リソースプールにおいて当該潜在的干渉セルが採用する複信モードの情報を含む。
【０１２６】
オプションとして、当該潜在的干渉セルの多重アクセス技術情報は、少なくとも一つの第４の伝送リソースプールの中の各第４の伝送リソースプールにおいて当該潜在的干渉セルが採用する多重アクセス技術の情報を含む。
【０１２７】
オプションとして、当該物理層パラメータは、多重アクセス技術基本伝送パラメータ、フレーム構造パラメータ、及び、サブフレーム構造パラメータの中の、少なくとも一つを含む。
【０１２８】
オプションとして、当該フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含む。
【０１２９】
オプションとして、当該サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含む。
【０１３０】
オプションとして、第２の伝送リソースプールにおける当該潜在的干渉セルのリソース割り当て情報は、当該第２の伝送リソースプール内における、当該潜在的干渉セルのサービスを受ける少なくとも一つの第２の端末設備の中の各第２の端末設備の端末特定基準信号の構成情報、当該第２の伝送リソースプール内における各第２の端末設備の端末特定制御チャネルの構成情報、及び、当該潜在的干渉セルが各第２の端末設備に対して割り当てた当該第２の伝送リソースプール中における伝送リソースの情報の中の、少なくとも一つを含む。
【０１３１】
オプションとして、当該装置は、当該潜在的干渉セルが属される第２の送受信ノードが送信した当該潜在的干渉セルの干渉情報を受信するためのレシーバーをさらに含む。
【０１３２】
オプションとして、当該トランスミッター６２０は、さらに、当該レシーバーが当該潜在的干渉セルが属される第２の送受信ノードが送信した当該潜在的干渉セルの干渉情報を受信する前に、当該第２の送受信ノードが当該少なくとも一つの目標伝送リソースプールにおける当該潜在的干渉セルの干渉情報を送信するように要求するための要求指示を、当該第２の送受信ノードへ送信するように構成され、
それに応じて、当該レシーバーは、具体的に、当該第２の送受信ノードが当該トランスミッター６２０により送信された当該要求指示に従って送信された、当該少なくとも一つの目標伝送リソースプールの中の各目標伝送リソースプールにおける当該潜在的干渉セルの干渉情報を受信するように構成され、ここで、当該目標伝送リソースプールにおける当該潜在的干渉セルの干渉情報は、当該目標伝送リソースプールにおける当該潜在的干渉セルの複信モード情報、当該目標伝送リソースプールにおける当該潜在的干渉セルの多重アクセス技術情報、当該目標伝送リソースプールにおける当該潜在的干渉セルの物理層パラメータ、及び、当該目標伝送リソースプールにおける当該潜在的干渉セルのリソース割り当て情報の中の、少なくとも一つを含む。
【０１３３】
オプションとして、装置６００は、記憶装置をさらに含んでもよく、ここで、当該記憶装置は、読み出し専用メモリ及びランダムアクセスメモリを含んでもよく、また、プロセッサに命令およびデータを提供する。記憶装置の一部は、不揮発性ランダムアクセスメモリをさらに含んでもよい。例えば、記憶装置は、さらに、設備タイプの情報を記憶してもよい。当該プロセッサは、記憶装置に記憶された命令を実行でき、また、当該プロセッサによって当該命令が実行される場合、当該プロセッサによって上記の方法実施例中の端末設備に対応される各々のステップが実行されることができる。
【０１３４】
装置６００は、具体的に、上記の実施例中の第１の送受信ノードであり、上記の方法実施例中の第１の送受信ノードに対応される各々の流れ、及び／或いは、ステップを実行でき、簡潔化のために、ここでそれ以上説明しないことを、理解すべきである。
【０１３５】
図７は、本発明のもう一実施例によって提供されるセル間干渉を除去するための装置７００の例示的なブロック図である。当該セル間干渉を除去するための装置７００は、
第１の送受信ノードが送信した潜在的干渉セルの干渉情報を受信するように構成されるレシーバー７１０と、
当該レシーバー７１０が受信した当該潜在的干渉セルの干渉情報に基づいて、当該第１の送受信ノードから受信した信号に対して、干渉除去を行うように構成されるプロセッサ７２０とを含み、
当該潜在的干渉セルの干渉情報は、当該潜在的干渉セルの複信モード情報、当該潜在的干渉セルの多重アクセス技術情報、少なくとも一つの第１の伝送リソースプールの中の各第１の伝送リソースプールにおける当該潜在的干渉セルの物理層パラメータ、及び、少なくとも一つの第２の伝送リソースプールの中の各第２の伝送リソースプールにおける当該潜在的干渉セルのリソース割り当て情報の中の、少なくとも一つを含む。
【０１３６】
オプションとして、当該潜在的干渉セルの複信モード情報は、少なくとも一つの第３の伝送リソースプールの中の各第３の伝送リソースプールにおいて当該潜在的干渉セルが採用する複信モードの情報を含む。
【０１３７】
オプションとして、当該潜在的干渉セルの多重アクセス技術情報は、少なくとも一つの第４の伝送リソースプールの中の各第４の伝送リソースプールにおいて当該潜在的干渉セルが採用する多重アクセス技術の情報を含む。
【０１３８】
オプションとして、当該物理層パラメータは、多重アクセス技術基本伝送パラメータ、フレーム構造パラメータ、及び、サブフレーム構造パラメータの中の、少なくとも一つを含む。
【０１３９】
オプションとして、当該フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含む。
【０１４０】
オプションとして、当該サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含む。
【０１４１】
オプションとして、第２の伝送リソースプールにおける当該潜在的干渉セルのリソース割り当て情報は、当該第２の伝送リソースプール内における、当該潜在的干渉セルのサービスを受ける少なくとも一つの第２の端末設備の中の各第２の端末設備の端末特定基準信号の構成情報、当該第２の伝送リソースプール内における各第２の端末設備の端末特定制御チャネルの構成情報、及び、当該潜在的干渉セルが各第２の端末設備に対して割り当てた当該第２の伝送リソースプール中における伝送リソースの情報の中の、少なくとも一つを含む。
【０１４２】
オプションとして、装置７００は、記憶装置をさらに含んでもよく、ここで、当該記憶装置は、読み出し専用メモリ及びランダムアクセスメモリを含んでもよく、また、プロセッサに命令およびデータを提供する。記憶装置の一部は、不揮発性ランダムアクセスメモリをさらに含んでもよい。例えば、記憶装置は、さらに、設備タイプの情報を記憶してもよい。当該プロセッサは、記憶装置に記憶された命令を実行でき、また、当該プロセッサによって当該命令が実行されると、当該プロセッサによって上記の方法実施例中の端末設備に対応される各々のステップが実行されることができる。
【０１４３】
装置７００は、具体的に、上記の実施例中の第１の端末設備であり、上記の方法実施例中の第１の端末設備に対応される各々の流れ、及び／或いは、ステップを実行でき、簡潔化のために、ここでそれ以上説明しないことを、理解すべきである。
【０１４４】
図８は、本発明のもう一実施例によって提供されるセル間干渉を除去するための装置８００である。当該セル間干渉を除去するための装置８００は、
第１のセルの干渉情報を確定するように構成されるプロセッサ８１０と、
当該プロセッサ８１０が確定した当該第１のセルの干渉情報を当該第１の送受信ノードへ送信するように構成されるトランスミッター８２０とを含み、
ここで、当該第１のセルは、当該装置に属し、当該第１のセルの干渉情報は、当該第１のセルの複信モード情報、当該第１のセルの多重アクセス技術情報、少なくとも一つの第１の伝送リソースプールの中の各第１の伝送リソースプールにおける当該第１のセルの物理層パラメータ、及び、少なくとも一つの第２の伝送リソースプールの中の各第２の伝送リソースプールにおける当該第１のセルのリソース割り当て情報の中の、少なくとも一つを含む。
【０１４５】
オプションとして、当該第１のセルの複信モード情報は、少なくとも一つの第３の伝送リソースプールの中の各第３の伝送リソースプールにおいて当該第１のセルが採用する複信モードの情報を含む。
【０１４６】
オプションとして、当該第１のセルの多重アクセス技術情報は、当該少なくとも一つの第４の伝送リソースプールの中の各第４の伝送リソースプールにおいて第１のセルが採用する多重アクセス技術の情報を含む。
【０１４７】
オプションとして、当該物理層パラメータは、多重アクセス技術基本伝送パラメータ、フレーム構造パラメータ、及び、サブフレーム構造パラメータの中の、少なくとも一つを含む。
【０１４８】
オプションとして、当該フレーム構造パラメータは、サブフレーム長さ、タイムスロット長さ、フレーム内のアップリンクリソース構成及びダウンリンクリソース構成、フレーム内の共通基準信号構成、フレーム内の共通チャネル構成、及び、フレーム内の制御チャネル構成の中の、少なくとも一つを含む。
【０１４９】
オプションとして、当該サブフレーム構造パラメータは、サブフレーム内のアップリンクリソース構成及びダウンリンクリソース構成、サブフレーム内の共通チャネル構成、及び、サブフレーム内の制御チャネル構成の中の、少なくとも一つを含む。
【０１５０】
オプションとして、第２の伝送リソースプールにおける当該第１のセルのリソース割り当て情報は、当該第２の伝送リソースプール内における当該第１のセルのサービスを受ける少なくとも一つの第２の端末設備の中の各第２の端末設備の端末特定基準信号の構成情報、当該第２の伝送リソースプール内における各第２の端末設備の端末特定制御チャネルの構成情報、及び、当該第１のセルが各第２の端末設備に対して割り当てた当該第２の伝送リソースプール中における伝送リソースの情報の中の、少なくとも一つを含む。
【０１５１】
オプションとして、当該装置８００は、レシーバーをさらに含み、当該レシーバーは、当該トランスミッター８２０が当該第１のセルの干渉情報を第１の送受信ノードへ送信する前に、当該第１の送受信ノードが送信した要求指示であって、当該第２の送受信ノードが当該少なくとも一つの目標伝送リソースプールにおける当該第１のセルの干渉情報を送信するように要求するための要求指示を、受信するように構成され、
それに応じて、当該トランスミッター８２０は、具体的に、当該レシーバーが受信した当該要求指示に従って、当該少なくとも一つの目標伝送リソースプールの中の各目標伝送リソースプールにおける当該第１のセルの干渉情報を、当該第１の送受信ノードへ送信するように構成され、ここで、当該目標伝送リソースプールにおける当該潜在的干渉セルの干渉情報は、当該目標伝送リソースプールにおける当該潜在的干渉セルの複信モード情報、当該目標伝送リソースプールにおける当該潜在的干渉セルの多重アクセス技術情報、当該目標伝送リソースプールにおける当該潜在的干渉セルの物理層パラメータ、及び、当該目標伝送リソースプールにおける当該潜在的干渉セルのリソース割り当て情報の中の、少なくとも一つを含む。
【０１５２】
オプションとして、装置８００は、記憶装置をさらに含んでもよく、ここで、当該記憶装置は、読み出し専用メモリ及びランダムアクセスメモリを含んでもよく、また、プロセッサに命令およびデータを提供する。記憶装置の一部は、不揮発性ランダムアクセスメモリをさらに含んでもよい。例えば、記憶装置は、さらに、設備タイプの情報を記憶してもよい。当該プロセッサは、記憶装置に記憶された命令を実行でき、また、当該プロセッサによって当該命令が実行されると、当該プロセッサによって上記の方法実施例中の端末設備に対応される各々のステップが実行されることができる。
【０１５３】
装置８００は、具体的に、上記の実施例中の第２の送受信ノードであり、上記の方法実施例中の第２の送受信ノードに対応される各々の流れ、及び／或いは、ステップを実行でき、簡潔化のために、ここでそれ以上説明しないことを、理解すべきである。
【０１５４】
なお、本発明の実施例において、当該プロセッサーは、中央処理ユニット（ＣＰＵ：Ｃｅｎｔｒａｌ  Ｐｒｏｃｅｓｓｉｎｇ  Ｕｎｉｔ）であっても良く、当該プロセッサーは、その他の汎用プロセッサー、デジタルシグナルプロセッサ（ＤＳＰ）、専用集積回路（ＡＳＩＣ）、現場でプログラマブルゲートアレイ（ＦＰＧＡ）又はその他のプログラマブルロジックデバイス、ディスクリートゲート又はトランジスタ論理デバイス、ディスクリートハードウェアコンポーネントであってもよい。汎用プロセッサーは、マイクロプロセッサーであっても良く、又は当該プロセッサーはいずれかの通常のプロセッサーなどであっても良いことを、理解すべきである。
【０１５５】
実現過程において、上記方法の実施例における各ステップは、プロセッサにおけるハードウェアの集積論理回路、又はソフトウェア形態の命令により完成されても良い。本発明の実施例に開示された方法を結合するステップは、ハードウェア処理で実行し、又はプロセッサ内のハードウェアとソフトウェアの組み合わせで実行すると直接に現れる。ソフトウェアモジュールは、ランダム記憶装置、フラッシュ、読み取り専用記憶装置、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおけ命令を実行し、そのハードウェアと組み合わせて上記方法のステップを完成する。重複を避けるために、ここで省略する。
【０１５６】
図９は、本発明の実施例によって提供されるセル間干渉を除去するためのシステム９００を示す。当該システム９００のシステムアーキテクチャは、上記の無線通信システム１００を参考してもよく、本発明の実施例はこれらに限定されない。
【０１５７】
当該システム９００は、具体的に、第１の送受信ノード９１０、第２の送受信ノード９２０、及び端末設備９３０を含んでもよい。ここで、当該第１の送受信ノード９１０は、現在、端末設備９３０に対してサービスを提供できる。また、当該第２の送受信ノード９２０の第１のセルは、当該端末設備９３０の潜在的干渉セルであってもよく、即ち、当該第１のセルと当該第１のセルのサービスを受ける端末設備との間のデータ伝送は、当該第１の送受信ノード９１０と端末設備９３０との間のデータ伝送に対して、現在、干渉を引き起こしているか、あるいは、干渉を引き起こす可能性がある。
【０１５８】
当該第２の送受信ノード９２０は、第１のセルの干渉情報を当該第１の送受信ノード９１０へ送信できる。当該第１の送受信ノード９１０は、当該第２の送受信ノードにより送信された第１のセルの干渉情報を受信でき、また、当該第１のセルの干渉情報を端末設備９３０へ送信できる。当該端末設備９３０は、当該第１の送受信ノード９１０が送信した当該第１のセルの干渉情報を受信でき、また、当該第１のセルの干渉情報に基づいて、受信した信号に対して、干渉除去を行うことができる。
【０１５９】
１つのオプションの実施例として、当該第１の送受信ノード９１０は、具体的に、上記の装置３００であってもよく、当該第２の送受信ノードは、具体的に、上記の装置５００であってもよく、当該端末設備９３０は、具体的に、上記の装置４００であってもよい。
【０１６０】
もう１つのオプションの実施例として、当該第１の送受信ノード９１０は、具体的に、上記の装置６００であってもよく、当該第２の送受信ノードは、具体的に、上記の装置８００であってもよく、当該端末設備９３０は、具体的に、上記の装置７００であってもよい。
【０１６１】
なお、本願における実施例に対する記載は、主に各実施例間の異なる部分を強調し、それらの同様又は類似する部分を参照すること可能であることを、理解すべきである。
【０１６２】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１６３】
当業者は、説明の便利と簡潔上、上記に記載されているシステム、装置及びユニットの具体的な動作については、上記の方法実施例の対応されているフローを参照することができ、ここでそれ以上述べない。
【０１６４】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１６５】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、ここでの一部又は全部のユニットを選択して本実施例の技術案の目的を実現しても良い。
【０１６６】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。上記統合したユニットは、ハードウェアで実現しても良く、ソフトウェア機能ユニットで実現しても良い。
【０１６７】
上記の集成されたユニットは、ソフトウェア機能モジュールの方式で実現し、しかも独立な製品として販売又は使用する時に、コンピュータ読み取り可能の媒体に記憶しても良い。これによって、本発明の実施例の技術案は、事実上、言い換えれば先行技術に貢献した部分として、ソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１６８】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2020115693.tif 000007
【図２】
2020115693.tif 000008
【図３】
2020115693.tif 000009
【図４】
2020115693.tif 000010
【図５】
2020115693.tif 000011
【図６】
2020115693.tif 000012
【図７】
2020115693.tif 000013
【図８】
2020115693.tif 000014
【図９】
2020115693.tif 000015